【手続補正書】
【提出日】平成19年2月26日(2007.2.26)
【手続補正１】
【補正対象書類名】特許請求の範囲
【補正対象項目名】全文
【補正方法】変更
【補正の内容】
【特許請求の範囲】
【請求項１】
各通信局が自律分散的にネットワーク動作を行なう無線通信システムであって、
各通信局は、周辺局における帯域の利用状況を示した情報を収集し、該情報の収集により自局において利用不可能な帯域並びに利用可能な帯域を把握して、自局において実際に利用する帯域を設定し、周辺局に対し自局の利用帯域並びに利用不可能な帯域に関する情報を通知して認識し合う、
ことを特徴とする無線通信システム。
【請求項２】
各通信局が自律分散的にネットワーク動作を行なう無線通信システムであって、
通信局は、周辺局において予約された帯域又は優先利用される帯域を自局の利用不可能な帯域として設定する、
ことを特徴とする無線通信システム。
【請求項３】
各通信局が自律分散的にネットワーク動作を行なう無線通信システムであって、
各通信局は、自局の通信状態に関する情報を記載したビーコン情報を所定間隔で報知し、周辺局から送信されるビーコンを受信する帯域を自局において通信不可能な帯域として設定する、
ことを特徴とする無線通信システム。
【請求項４】
各通信局が自律分散的にネットワーク動作を行なう無線通信システムであって、
各通信局は、帯域を予約して通信することが許容され、予約した帯域が満了する前に通信が終了する場合に該終了時刻を記載した開放信号を報知する、
ことを特徴とする無線通信システム。
【請求項５】
各通信局が自律分散的にネットワーク動作を行なう無線通信システムであって、
各通信局は、自局の通信状態に関する情報を記載したビーコン情報を所定間隔で報知し、優先的な通信を行なう帯域又はビーコン受信を行なう帯域を設定することができ、これらの帯域において所定時間に渡り送信が行なわれないときには、他の通信局がその帯域を通信に利用することを許容する、
ことを特徴とする無線通信システム。
【請求項６】
各通信局が自律分散的にネットワーク動作を行なう無線通信システムであって、
各通信局は、帯域予約通信又は優先的な通信を行なうように設定した帯域で送信を行なうときに、所定の確率で設定したオフセット時間の経過後に送信を開始する、
ことを特徴とする無線通信システム。
【請求項７】
各通信局が自律分散的にネットワーク動作を行なう無線通信システムであって、
各通信局は、自局の利用帯域において帯域予約通信を行なうために一時的にその帯域を確保することができ、周辺局が一時的に確保した帯域では自己の予約を行なわない、
ことを特徴とする無線通信システム。
【請求項８】
無線通信環境下でデータ伝送を行なう無線通信装置であって、
通信チャネル上で無線データを送受信する通信手段と、
周辺局における帯域の利用状況を示した情報を収集する帯域利用情報収集手段と、
該情報の収集により自局において利用不可能な帯域並びに利用可能な帯域を把握する利用可能帯域判定手段と、
該判定の結果に基づいて、自局において実際に利用する帯域を設定する利用帯域設定手段と、
該判定の結果に基づいて、自局において利用不可能な帯域を設定する利用不可能帯域設定手段と、
該設定された利用帯域並びに利用不可能帯域に基づいて、前記通信手段における通信動作を制御する通信制御手段と、
該設定された自局における帯域の利用状況を示した情報を周辺局に報知する帯域利用情報報知手段と、
を具備することを特徴とする無線通信装置。
【請求項９】
前記帯域利用情報報知手段は、ビーコン信号に自局における帯域の利用状況を示した情報を記載し、所定のフレーム周期毎に送信する、
ことを特徴とする請求項８に記載の無線通信装置。
【請求項１０】
前記帯域利用情報報知手段は、自局の利用帯域において帯域予約通信を行なうことを示した情報を記載する、
ことを特徴とする請求項８に記載の無線通信装置。
【請求項１１】
前記帯域利用情報報知手段は、自局の利用帯域において他局からのビーコン情報の受信を行なうことを示した情報を記載する、
ことを特徴とする請求項８に記載の無線通信装置。
【請求項１２】
前記帯域利用情報報知手段は、自局の利用帯域において他局からのビーコン情報が存在することを示した情報を記載する、
ことを特徴とする請求項８に記載の無線通信装置。
【請求項１３】
前記帯域利用情報報知手段は、自局の利用帯域において優先的な送信を行なうことを示した情報を記載する、
ことを特徴とする請求項８に記載の無線通信装置。
【請求項１４】
前記帯域利用情報報知手段は、自局の利用帯域において帯域予約通信を行なうために一時的に確保したことを示した情報を記載する、
ことを特徴とする請求項８に記載の無線通信装置。
【請求項１５】
前記帯域利用情報報知手段は、自局の利用帯域において受信動作を行なうことを示した情報を記載する、
ことを特徴とする請求項８に記載の無線通信装置。
【請求項１６】
前記帯域利用情報報知手段は、自局の利用不可能帯域において他局が帯域を予約していることを示した情報を記載する、
ことを特徴とする請求項８に記載の無線通信装置。
【請求項１７】
前記帯域利用情報報知手段は、自局の利用不可能帯域において休眠状態であることを示した情報を記載する、
ことを特徴とする請求項８に記載の無線通信装置。
【請求項１８】
前記帯域利用情報報知手段は、自局の利用不可能帯域において直前の帯域に準じて帯域予約通信を行なうことを示した情報を記載する、
ことを特徴とする請求項８に記載の無線通信装置。
【請求項１９】
前記利用不可能帯域設定手段は、周辺局において予約された帯域又は優先利用される帯域を自局の利用不可能な帯域として設定する、
ことを特徴とする請求項８に記載の無線通信装置。
【請求項２０】
前記利用不可能帯域設定手段は、周辺局から送信されるビーコンを受信する帯域を自局において通信不可能な帯域として設定する、
ことを特徴とする請求項９に記載の無線通信装置。
【請求項２１】
自己の利用帯域において設定した予約した帯域が満了する前に通信が終了する場合に該終了時刻を記載した開放信号を構築する開放信号構築手段をさらに備える、
ことを特徴とする請求項８に記載の無線通信装置。
【請求項２２】
周辺局が予約した帯域において通信の終了時刻が記載された開放信号を受信した場合、前記通信制御手段は、該終了時刻が経過した後に所定のアクセス制御を行なう、
ことを特徴とする請求項２１に記載の無線通信装置。
【請求項２３】
前記利用帯域設定手段は、優先的な通信を行なう帯域又はビーコン受信を行なう帯域を設定することができ、
前記通信制御手段は、これらの帯域において所定時間に渡り送信が行なわれないときには、他の通信局がその帯域を通信に利用することを許容する、
ことを特徴とする請求項８に記載の無線通信装置。
【請求項２４】
前記通信制御手段は、帯域予約通信又は優先的な通信を行なうように設定した帯域で送信を行なうときに、所定の確率で設定したオフセット時間の経過後に送信を開始する、
ことを特徴とする請求項８に記載の無線通信装置。
【請求項２５】
前記利用帯域設定手段は、自局の利用帯域において帯域予約通信を行なうために一時的にその帯域を確保することができ、周辺局が一時的に確保した帯域では自己の予約を行なわない、
ことを特徴とする請求項８に記載の無線通信装置。
【請求項２６】
無線通信環境下でデータ伝送を行なう無線通信方法であって、
周辺局における帯域の利用状況を示した情報を収集する帯域利用情報収集ステップと、
該情報の収集により自局において利用不可能な帯域並びに利用可能な帯域を把握する利用可能帯域判定ステップと、
該判定の結果に基づいて、自局において実際に利用する帯域を設定する利用帯域設定ステップと、
該判定の結果に基づいて、自局において利用不可能な帯域を設定する利用不可能帯域設定ステップと、
該設定された利用帯域並びに利用不可能帯域に基づいて通信動作を制御する通信制御ステップと、
該設定された自局における帯域の利用状況を示した情報を周辺局に報知する帯域利用情報報知ステップと、
を具備することを特徴とする無線通信方法。
【請求項２７】
無線通信環境下でデータ伝送を行なうための無線通信動作の制御をコンピュータ上で実行するようにコンピュータ可読形式で記述されたコンピュータ・プログラムであって、前記コンピュータに対し、
周辺局における帯域の利用状況を示した情報を収集する帯域利用情報収集手順と、
該情報の収集により自局において利用不可能な帯域並びに利用可能な帯域を把握する利用可能帯域判定手順と、
該判定の結果に基づいて、自局において実際に利用する帯域を設定する利用帯域設定手順と、
該判定の結果に基づいて、自局において利用不可能な帯域を設定する利用不可能帯域設定手順と、
該設定された利用帯域並びに利用不可能帯域に基づいて通信動作を制御する通信制御手順と、
該設定された自局における帯域の利用状況を示した情報を周辺局に報知する帯域利用情報報知手順と、
を実行させることを特徴とするコンピュータ・プログラム。
【手続補正２】
【補正対象書類名】明細書
【補正対象項目名】００６７
【補正方法】変更
【補正の内容】
【００６７】
図１には、本発明の一実施形態に係る自律分散型ネットワークの構成を模式的に示している。図示のネットワークは、通信装置＃１から通信装置＃７のように、複数の無線通信装置が空間上に配置され、近隣に存在する通信装置とは直接通信を行なうことができる。
【手続補正３】
【補正対象書類名】明細書
【補正対象項目名】００９６
【補正方法】変更
【補正の内容】
【００９６】
ビーコン生成部１１０は、自局がスーパーフレーム毎に報知するビーコン信号を生成する。ビーコン信号は、スーパーフレームの先頭で送信される。また、ビーコン解析部１０４は、他局から受信できたビーコン信号を解析し、近隣の無線通信装置の存在や利用するスロットの情報を抽出する。本実施形態では、ビーコン信号には、当該ビーコン送信元である通信局において設定される、スーパーフレーム内での利用帯域並びに利用不可能帯域に関する情報が記載されているが、この点については後に詳解する。
【手続補正４】
【補正対象書類名】明細書
【補正対象項目名】０１０８
【補正方法】変更
【補正の内容】
【０１０８】
ＰＨＹヘッダは、所定のＰＨＹパラメータが記載されたＰＨＹヘッダ（ＰＨＹ  Ｈｅａｄｅｒ）で構成される。また、ＭＡＣヘッダ情報には、受信先の通信装置を識別するためにブロードキャスト・アドレスが指定される受信局アドレス（Ｒｘ  Ａｄｄｒｅｓｓ）、送信元のアドレス情報となるＭＡＣアドレスを示す送信局アドレス（Ｔｘ  Ａｄｄｒｅｓｓ）、当該ビーコン・フレームにおけるＭＡＣフレームの多重化数を表わすＭＵＸ、送信された情報がビーコン情報であることを示すフレーム・タイプ（Ｆｒａｍｅ  Ｔｙｐｅ）、当該ビーコン・フレームの情報長を示すＬｅｎｇｔｈ、ＭＡＣヘッダ部分の誤り検出を行なうためのヘッダー・チェック・シーケンスＨＣＳ（Ｈｅａｄｅｒ  Ｃｈｅｃｈ  Ｓｅｑｕｅｎｃｅ）という各フィールドで構成される。
【手続補正５】
【補正対象書類名】明細書
【補正対象項目名】０１１９
【補正方法】変更
【補正の内容】
【０１１９】
なお、近隣局で状態値５が設定されているスロットでは送信を控えることが望ましく、送信を行なう場合には、予約した通信局からの開放信号（後述）を検出した後でないと送信を行なうことができない。
【手続補正６】
【補正対象書類名】明細書
【補正対象項目名】０１７７
【補正方法】変更
【補正の内容】
【０１７７】
ビーコン送信元である通信局＃１からビーコンとともにＲＴＳが送信されると、近隣の通信局＃３ではＣＴＳフレームの交換により伝送路の利用が確定するまでの間、ＮＡＶの初期値が設定される。
【手続補正７】
【補正対象書類名】明細書
【補正対象項目名】０１７９
【補正方法】変更
【補正の内容】
【０１７９】
このような動作期間中、近隣の通信局＃３並びに通信局＃４では、それぞれ通信局＃１又は通信局＃２のメッセージを受信し、各メッセージに記載されている持続時間情報（Ｄｕｒａｔｉｏｎ）から、通常のＮＡＶを逐次的に更新していく。